(57)【特許請求の範囲】
【請求項１】
貯蔵庫本体内には前面に出入口を設けた収納室が設けられ、この収納室の左右両側には、前後方向を向いた固定レールと、前記出入口側に支持ローラとが設けられるとともに、
前記出入口を開閉する扉の奥面に枠体を備えて前記収納室内に収納可能なドロワが設けられ、前記枠体における左右の側枠には、奥側に前記固定レールと係合可能なガイドローラと、前記支持ローラと係合可能で前後方向を向いた可動レールとが設けられ、
前記ガイドローラが前記固定レールに、また前記支持ローラが前記可動レールに沿ってそれぞれ転動しつつ前記ドロワが出し入れされ、
かつ、前記ドロワにおける前記可動レールの奥側に設けられたストッパが、前記支持ローラに当たることで、前記ドロワの引き出しが規制されるようにした冷却貯蔵庫において、
前記ドロワの前記枠体における前記側枠には、前記ストッパの上面に当接して同ストッパからの上向きの荷重を受ける補強部が一体的に形成されていることを特徴とする冷却貯蔵庫。
【請求項２】
前記ストッパは、前記支持ローラを上方から押さえることが可能な奥下がりの斜め姿勢で形成されているとともに、
前記側枠の前記補強部は、同側枠の上縁から外方に張り出したのち垂下してその垂下縁が前記ストッパの斜めをなす外側縁に沿って当接した形態で設けられていることを特徴とする請求項１記載の冷却貯蔵庫。
【請求項３】
前記側枠の前記補強部における前記垂下縁と、前記ストッパの外側縁とが溶接により結合されていることを特徴とする請求項２記載の冷却貯蔵庫。
【発明の詳細な説明】
【技術分野】
【０００１】
本発明は、ドロワ式の冷却貯蔵庫に関する。
【背景技術】
【０００２】
従来、業務用のドロワ式冷蔵庫として、下記特許文献１に記載されたものが知られている。このものは、冷蔵庫の本体内に、前面に出入口を設けた収納室が複数並んで設けられるとともに、出入口を開閉する扉を備えて各収納室内に収納可能なドロワが同数備えられる。各収納室の左右両側には、前後方向を向いた固定レールと、出入口側に支持ローラとが設けられる一方、各ドロワの左右両側面には、奥側に固定レールと係合可能なガイドローラと、支持ローラと係合可能で前後方向を向いた可動レールとが設けられており、ガイドローラが固定レールに、また支持ローラが可動レールに沿ってそれぞれ転動しつつ、ドロワが収納室に対して出し入れされるようになっている。  
ここで、ドロワの引き出しを規制する手段として、ドロワに設けられた可動レールの奥側にストッパを設け、ドロワが最大に引き出されたときに、ストッパを収納室の出入口側に設けられた上記の支持ローラに当てることで、ドロワのそれ以上の引き出しを規制するようにしたものが提案されている。
【先行技術文献】
【特許文献】
【０００３】
【特許文献１】特開２００５−１４７５１９号公報
【発明の概要】
【発明が解決しようとする課題】
【０００４】
ところでこの種のドロワ式冷蔵庫では、引き出したドロワの上に調理鍋等の重量物を載せるといった、言わば誤った使い方をされる可能性が無いとは言えない。引き出されたドロワに重量物が載せられると、支持ローラに当たったストッパを支点として、ドロワの引き出し端側を下向きに揺動させる過大な力が作用することになり、特に支点となるストッパに対して過大な荷重が作用してその損傷に繋がるおそれもあるため、適切な防止対策が要望されていた。  
本発明は上記のような事情に基づいて完成されたものであって、その目的は、過大な荷重に抗する簡易な補強構造を提供するところにある。
【課題を解決するための手段】
【０００５】
本発明は、貯蔵庫本体内には前面に出入口を設けた収納室が設けられ、この収納室の左右両側には、前後方向を向いた固定レールと、前記出入口側に支持ローラとが設けられるとともに、前記出入口を開閉する扉の奥面に枠体を備えて前記収納室内に収納可能なドロワが設けられ、前記枠体における左右の側枠には、奥側に前記固定レールと係合可能なガイドローラと、前記支持ローラと係合可能で前後方向を向いた可動レールとが設けられ、前記ガイドローラが前記固定レールに、また前記支持ローラが前記可動レールに沿ってそれぞれ転動しつつ前記ドロワが出し入れされ、かつ、前記ドロワにおける前記可動レールの奥側に設けられたストッパが、前記支持ローラに当たることで、前記ドロワの引き出しが規制されるようにした冷却貯蔵庫において、前記ドロワの前記枠体における前記側枠には、前記ストッパの上面に当接して同ストッパからの上向きの荷重を受ける補強部が一体的に形成されているところに特徴を有する。
【０００６】
上記構成によれば、引き出したドロワの上に重量物が載せられる等で下向きの荷重が作用すると、支持ローラに当たったストッパを支点としてドロワの引き出し端側を下向きに揺動させる力が作用して、支点となるストッパに対して上向きに過大な荷重が作用するおそれがあるが、ストッパは側枠に一体的に形成された補強部によって同荷重に抗する補強がなされているから、同ストッパが損傷することが防止される。
【０００７】
ストッパを補強するに当たっては、例えばストッパの上面に別途備えた補強部材を当てて側枠に固定したり、ストッパを板厚の大きい素材で形成したりすることが考えられるが、部品点数が増したり、材料費が嵩む等、製造コストが増加するおそれがある。  
それに対して本発明では、ストッパを補強するについて、側枠に一体的に形成された補強部をストッパに当接するといった簡易な構造で実現しており、部品点数の増加もなく、また素材の材料費の増加も僅かに抑えられる等によって、安価に対応することができる。
【０００８】
また、以下のような構成としてもよい。  
（１）前記ストッパは、前記支持ローラを上方から押さえることが可能な奥下がりの斜め姿勢で形成されているとともに、前記側枠の前記補強部は、同側枠の上縁から外方に張り出したのち垂下してその垂下縁が前記ストッパの斜めをなす外側縁に沿って当接した形態で設けられている。  
ドロワが最大限に引き出されると、奥下がりの斜め姿勢で設けられたストッパが支持ローラに当たることで、それ以上の引き出しが規制される。引き出されたドロワに対して下向きに荷重が作用すると、支持ローラからストッパに対して上向きに過大な荷重が作用するおそれがあるが、側枠の上縁から外方に張り出したのち垂下する形態で形成された補強部の垂下縁が、ストッパの斜めの外側縁に沿って当接した形態で配されて補強されているから、ストッパが上方に捲れる等に変形することが防止される。
【０００９】
（２）前記側枠の前記補強部における前記垂下縁と、前記ストッパの外側縁とが溶接により結合されている。  
補強部の垂下縁がストッパの外側縁から外れることが防止され、ストッパをより確実に補強できる。
【発明の効果】
【００１０】
本発明によれば、ドロワに過大な力が作用することに起因して過大な荷重が作用する部分に対し、簡易な構造で補強することができる。
【図面の簡単な説明】
【００１１】
【図１】本発明の一実施形態に係るドロワ式冷蔵庫の外観斜視図
【図２】収納室が空の状態の冷蔵庫の外観斜視図
【図３】内部構造示す一部切欠斜視図
【図４】収納室が空の状態とドロワが収納された状態とを示す冷蔵庫本体の側断面図
【図５】ドロワの押し引き途中の状態と最大に引き出された状態とを示す冷蔵庫本体の側断面図
【図６】冷蔵庫本体の部分平断面図
【図７】ホテルパンが装着されたドロワの斜視図
【図８】ストッパの補強構造を示す部分拡大断面図
【図９】ドロワが最大に引き出された状態を示す斜視図
【図１０】ドロワが最大に引き出された状態のストッパ付近の構造を示す部分側面図
【図１１】ドロワの取り外し動作を示す側断面図
【図１２】図１１の部分拡大図
【発明を実施するための形態】
【００１２】
＜実施形態＞
本発明の一実施形態を図１ないし図１２に基づいて説明する。この実施形態では、ドロワ式の横型冷蔵庫を例示している。  
同冷蔵庫は、図１ないし図３に示すように、前面開口の横長の断熱箱体からなる冷蔵庫本体１０を有するとともに、冷蔵庫本体１０の正面視左側には機械室３０が並んで設けられており、冷蔵庫本体１０の底面の四隅に配された脚部１１によって支持されている。
【００１３】
冷蔵庫本体１０内における正面視右側の大部分の領域が冷蔵室１５となっており、この冷蔵室１５の前面開口に断熱性の仕切枠１６が縦横に組まれて配されることで、横３列縦２段の合計６個の出入口１７が区画形成されており、各出入口１７の後方の冷蔵室１５内がそれぞれドロワ６０の収納室１８となっている。ドロワ６０には、ホテルパン１が装備されて、出入口１７から引き出し可能に収納されるようになっている。
【００１４】
冷蔵庫本体１０における機械室３０と隣接した左側壁１０Ａは厚肉に形成されており、その左側壁１０Ａの上部側の領域には冷蔵室１５側に開口した凹部が形成され、その前面にダクト板２０が張られることによって凹部内に冷却器室２１が形成されている。  
冷却器室２１内には冷却器２２が設置されている。ダクト板２０の下端部には庫内空気の吸込口２３が形成されている一方、ダクト板２０の上端部には冷気の吹出口２４が形成されており、同吹出口２４の裏面には庫内ファン２５が配されている。冷蔵室１５の天井面には、奥行方向のほぼ中央部において、間口方向に長く左右両端部が開口された扁平な吹出ダクト２７が設けられており、同吹出ダクト２７の左端開口が吹出口２４の上端位置に臨んでいる。吹出ダクト２７の下面には、上記した縦向きの仕切枠１６とほぼ対応する２位置において吐出口２８が形成されている。
【００１５】
機械室３０について説明する。機械室３０の天井壁３１は、冷蔵庫本体１０における左側壁１０Ａの上部外面から張り出した断熱壁として形成されている。  
冷蔵庫本体１０の左側壁１０Ａの下縁から底板３２が左側に水平に張り出し形成されているとともに、天井壁３１の左側縁の前後２位置から支持フレーム（図示せず）が垂下して設けられ、それぞれの下端が底板３２の左側縁に結合されることによって同底板３２が吊り下げ支持されている。このような外殻に対して、前面パネル３３、側面パネル３４及び背面パネル３５が張られることで、機械室３０が形成されている。前面パネル３３は、冷蔵庫本体１０の左側壁１０Ａの前面をも併せて覆っている。冷蔵庫本体１０の上面からこれと面一をなす機械室３０の天井壁３１の上面に亘って、一枚板からなる上面板３６が張られており、途中に継ぎ目のないテーブルとして利用できるようになっている。
【００１６】
機械室３０内には冷凍装置４０が設置されている。冷凍装置４０は少なくとも凝縮器ファンを備えた凝縮器（図示せず）と、圧縮機４１とが前後に並んで設けられ、この冷凍装置４０から引き出された冷媒配管４２が、上記の冷却器室２１の奥壁を貫通して冷却器２２と循環接続されている。  
機械室３０の前面パネル３３には、冷凍装置４０の冷却用空気である外気の吸気口３７が形成されているとともに、側面パネル３４の後部側と背面パネル３５には、冷凍装置４０を冷却したのちの排熱を排出するための排気口３８が形成されている。
【００１７】
冷却運転は、冷凍装置４０（圧縮機４１）と庫内ファン２５とが駆動されることで行われ、庫内空気が冷蔵室１５の左側面の下部に設けられた吸込口２３から吸い込まれて冷却器室２１内に導かれ、そこに収容された冷却器２２を流通する間に熱交換によって冷気が生成され、この冷気が左側面の上部の吹出口２４から庫内に吹き出され、また同冷気の一部が吹出ダクト２７を流通して２箇所の吐出口２８並びに右端開口から吹き出されるといった循環流通がなされることで、冷蔵室１５内すなわち全収納室１８が冷却されるようになっている。  
この間、凝縮器ファンが併せて駆動され、外気が前面の吸気口３７から吸い込まれて、凝縮器さらには圧縮機４１を流れることでそれらが冷却され、冷却に供した後の排熱が背面や側面後部の排気口３８から排出されるようになっている。
【００１８】
続いて、ドロワ６０の収納部分の構造について説明する。  
図４ないし図６に示すように、ドロワ６０を収納する収納室１８の左右両側面に相当する位置には、奥行方向に延びた左右一対の固定レール５０が所定間隔を開けて配設されている。固定レール５０は左右対称形状であって、後記するドロワ６０に設けられたガイドローラ７０を転動可能な溝状、詳細にはやや縦長の六角筒における内側の縦面を開放したような断面の溝状に形成され、収納室１８の奥行よりも少し短い長さ寸法を有している。固定レール５０の手前側の端部では、ガイドローラ７０を導入するために上面に切除部５１が設けられている。一方、固定レール５０の奥端側の所定領域は、奥側に向けて緩やかな下り勾配（１０°未満）となる傾斜部５０Ａとなっている。なお、同傾斜部５０Ａの上面も切除されている。
【００１９】
固定レール５０の取付構造としては、収納室１８の奥面に、取付部材５３が設けられている。この取付部材５３は、収納室１８の全幅に亘る背面板５４の左右両側縁から側板５５を突出形成した形状であって、背面板５４を収納室１８の奥面に当ててねじ止めすることで固定されている。  
一方、収納室１８の手前側の位置には、方形状の取付面５７Ａを有する左右一対の取付マウント５７が設けられる。この取付マウント５７の配設のため、各縦向きの仕切枠１６の庫内側には、中空の支持柱５８が立てられている。なお、図示はしないが、冷蔵室１５の左側面の手前側の位置にも同様の支柱が立てられている。
【００２０】
図６に示すように、正面視で右側の上下の各収納室１８では、右側の取付マウント５７が冷蔵室１５の右側面１５Ａに、左側の取付マウント５７が支持柱５８にそれぞれ対向して取り付けられている。中央の上下の各収納室１８では、左右の取付マウント５７が左右の支持柱５８に対向して取り付けられ、また、左側の上下の各収納室１８では、左側の取付マウント５７が冷蔵室１５の左側面１５Ｂ側の支持柱（図示せず）に、右側の取付マウント５７が支持柱５８にそれぞれ対向して取り付けられている。
【００２１】
そして、各収納室１８において、左右の固定レール５０は、図４に示すように、奥端部を取付部材５３の側板５５にねじ止め等で固定し、手前側の端部を、取付マウント５７の取付面５７Ａにおける下部奥側の角部にねじ止め等で固定することによって、上記したように、所定間隔を開けて対向した形態で配設されている。  
また、取付面５７Ａにおける上部手前側の角部には、支持ローラ５９が軸支されている。支持ローラ５９の配設位置は言い換えると、固定レール５０の手前側の端縁よりも少し手前で、かつ、同固定レール５０の上面よりも少し上方にある。
【００２２】
次に、ドロワ６０について説明する。ドロワ６０は大まかには、図６及び図７に示すように、収納室１８の出入口１７を開閉する扉６１の裏面側に、ホテルパン１を上面から収容可能な枠体６５が延設された構造である。ホテルパン１は、図７及び図８に示すように、平面略長方形の深皿状をなすパン本体２の上面開口に、フランジ３が全周に亘って張り出し形成された形状である。
【００２３】
扉６１は断熱性であって、上記した収納室１８の出入口１７を前面から開閉可能な正面形状が横長の長方形で、かつ厚肉状に形成されている。扉６１の表面には取手６２が設けられているとともに、裏面の周縁には、出入口１７の表面側の口縁に密着してシールする方形枠状のパッキン６３が装着されている。
【００２４】
枠体６５は、左右一対の側枠６６の奥縁同士を奥枠６８で連結した平面コ字形をなすように形成されている。側枠６６は、ホテルパン１の深さにほぼ匹敵する縦幅と、収納室１８の奥行よりも少し短い長さ寸法を持った帯状に形成されており、図６に示すように、ホテルパン１におけるパン本体２の上端部の幅寸法に匹敵する間隔を開けて配されるようになっている。  
各側枠６６の上縁には、詳しくは後記するように、ホテルパン１の左右のフランジ３を載置する載置板８０が、外側に向けて張り出し形成されている。  
また、各側枠６６の前縁には内側に直角曲げされた形態で、取付板６７が形成されている。
【００２５】
奥枠６８は、幅広の載置板６９Ａの後縁に、側枠６６と同じ縦幅を持った補強板６９Ｂを直角曲げして形成した形状であって、左右の側枠６６の奥縁の位置において、載置板６９Ａを載置板８０の上縁と面一とした姿勢で両側枠６６の間に差し渡されて固定されている。  
このように組み付けられた枠体６５は、両側枠６６の前縁の取付板６７が扉６１の裏面に当てられ、それぞれ上下２箇所においてボルトを締め付けることで固定されている。  
ホテルパン１が枠体６５内に嵌められると、左右のフランジ３が左右の側枠６６の上縁の載置板８０に、また奥のフランジ３が奥枠６８における載置板６９Ａにそれぞれ載せられて支持されるようになっている。
【００２６】
枠体６５を構成する左右の側枠６６には、その奥側の突出端における下部位置の外面に、上記したガイドローラ７０が軸支されている。  
一方、左右の側枠６６の外面における上部位置には、上記した収納室１８側の支持ローラ５９が転動する可動レール７２が設けられている。可動レール７２は、側枠６６の前縁から後縁の少し手前の位置に亘って配設されており、図７及び図８に示すように、縦板７３の上縁に山形断面の溝板７４を設けた形状であり、支持ローラ５９は溝板７４の下面に沿って転動可能である。  
可動レール７２の手前側の端部の所定領域は、図４に示すように、手前側に向けて緩やかな上り勾配（１０°未満）となる傾斜部７２Ａとなっている。
【００２７】
一方、可動レール７２の奥側には、上記した支持ローラ５９に当たることにより、ドロワ６０の引き出しを規制することに機能するストッパ７５が設けられている。  
詳細には、図８及び図１０に示すように、可動レール７２の奥端では、所定長さ（支持ローラ５９の直径よりも少し大きい長さ）だけ縦板７３が奥側に延ばされ、かつ同縦板７３の延長部の上縁が、３０度の奥下がりの傾斜縁となっており、ストッパ７５は同傾斜縁から外方に直角曲げされた形態で形成されている。言い換えるとストッパ７５は、縦板７３の延長部の上縁から、支持ローラ５９を全幅に亘って当てるだけの幅を持ち、かつ３０度の角度の奥下がりの姿勢を採って側方に突出形成されている。  
そして、ドロワ６０が手前側に引き出された際に、図１０に示すように、支持ローラ５９が可動レール７２の奥端まで達し、続いてストッパ７５の上端部の下面に当たったところで、ドロワ６０がそれ以上引き出されることが規制されるようになっている。
【００２８】
なおドロワ６０は、上記のように最大限引き出された状態から、図１１に示すように、扉６１側を上方に持ち上げた斜め姿勢とした上で手前側に抜いて外すようになっているが、その際、ドロワ６０を３０度以上傾けないと外れないような構造となっている。  
そのため一部既述したが、図１０に示すように、ストッパ７５の長さが、支持ローラ５９の直径よりも大きい寸法に採られている。それに加え、固定レール５０の上面の手前側の端部において、ガイドローラ７０を導入するべく設けられた切除部５１が、ガイドローラ７０の直径よりも小さい短寸法に留められている。
【００２９】
上記の構造であると、ドロワ６０を３０度傾けたところで、図１２に示すように、ストッパ７５の奥縁が支持ローラ５９から外れ、またガイドローラ７０が固定レール５０の手前の切除部５１に到るから、引き続いてドロワ６０を手前側に引くことで外すことができる。  
ドロワ６０の持ち上げ角度が３０度未満であると、ストッパ７５が支持ローラ５９と干渉し、またガイドローラ７０が固定レール５０の上面と干渉することで、ドロワ６０を引き抜くことができない。
【００３０】
一方、ドロワ６０が最大に引き出された状態で、図５に示すように、ドロワ６０の引き出し端側に重量物を載せる等によって下向きに荷重Ｘが加えられると、ドロワ６０は、支持ローラ５９とストッパ７５とが当たり合った位置を支点（左右両側にある）として、ドロワ６０の引き出し端側を下向きに揺動させる力が作用する。その結果、支点となる各ストッパ７５には上向きに荷重Ｙが作用し、またガイドローラ７０と固定レール５０とが当たり合う作用点において、各ガイドローラ７０には下向きに荷重Ｚが作用する。
【００３１】
この実施形態では、力点（扉６１の位置）−支点間の距離Ａと、支点−作用点間の距離Ｂの比であるレバー比（Ｂ：Ａ）が、約１：８であるから、力点の荷重Ｘがｐであるとすると、支点の荷重Ｙは９ｐ（片側で４．５ｐ）であり、また、作用点の荷重Ｚは８ｐ（片側で４ｐ）となる。  
そのため、力点に作用する荷重Ｘが大きいものであると、支点となるストッパ７５には過大な荷重が作用する。また、作用点においても、固定レール５０の上面におけるガイドローラ７０が当たる奥端位置に、反力として過大な荷重が作用することになる。
【００３２】
そこで本実施形態では、上記した過大な荷重が作用する箇所を補強する手段が講じられている。  
支点側の補強構造は、以下のようである。一部既述したように、ドロワ６０における枠体６５を構成する左右の側枠６６の上縁には、ホテルパン１の左右のフランジ３を載置する載置板８０が、外側に向けて張り出し形成されている。  
より詳細には、同載置板８０は、図４に示すように、側枠６６の上縁における前縁から後縁の少し手前の位置に亘って形成され、かつ図８に示すように、同載置板８０は、３０度の角度で外下がりとなった斜め姿勢で形成されている。載置板８０の外側縁は、可動レール７２の溝板７４における頂上を少し越えた位置で、かつストッパ７５の外側縁よりも少し内側の位置まで突出している。
【００３３】
上記した載置板８０の外側縁からは、垂下板８１が下向きに曲げ形成されている。この垂下板８１は、固定レール５０における溝板７４の形成位置と対応する長さ領域では、その垂下縁が溝板７４の上面（頂上よりも少し外側の位置）に当たる垂下長に形成されている。  
その奥のストッパ７５の形成位置と対応する垂下部８１Ａ（本発明の補強部に相当する）では、その垂下長が奥側に向けて次第に長くなって、垂下縁８２が、ストッパ７５の上面における外側縁に沿った位置に当接可能な傾斜縁とされている。この垂下部８１Ａの斜めの垂下縁８２と、ストッパ７５の上面における外側縁に沿った位置との間が、溶接によって結合されている。  
なお、垂下板８１の奥端では、その垂下縁が上記した傾斜縁の下端から連なる水平縁となっている。
【００３４】
作用点側では、上記したように固定レール５０の上面におけるガイドローラ７０が当たる奥端部に過大な荷重が作用する可能性がある。そのため、図４及び図９に示すように、固定レール５０の山形断面をなす上面における奥端部に対して、補強部材８５が配されている。この補強部材８５は、取付板８６の下縁部が外方に直角曲げされたのち斜め下方に曲げ形成されることで当接部８７が設けられた形状であって、当接部８７が固定レール５０の上面の外側の傾斜面に当てられた状態で、取付板８６が取付マウント５７にねじ止めされて固定されている。これにより、固定レール５０の山形断面をなす上面におけるガイドローラ７０が当たる奥端部が補強されている。
【００３５】
続いて、本実施形態の作動を説明する。  
ドロワ６０にはそれぞれホテルパン１が収容され、具体的にはホテルパン１は、扉６１の裏面に延設された枠体６５内に上面側から嵌められ、左右並びに奥縁のフランジ３が、左右の載置板８０並びに奥の載置板６９Ａに載せられた状態で支持される。  
ドロワ６０を収納室１８に装着する場合は、その奥端側を対応する出入口１７に挿入し、固定レール５０の前端の切除部５１と可動レール７２の奥側のスペースを利用しつつ、ドロワ６０のガイドローラ７０を収納室１８側の固定レール５０の前端部に嵌め、収納室１８側の支持ローラ５９をドロワ６０の可動レール７２に嵌めて支持させる。
【００３６】
そして扉６１を押すと、図５の上段に示すように、ガイドローラ７０が固定レール５０に、また支持ローラ５９が可動レール７２に沿ってそれぞれ転動しつつ、ドロワ６０が収納室１８内に押し込まれ、最後は、図４の下段に示すように、パッキン６３が出入口１７の表面側の口縁に密着しつつ扉６１が出入口１７を閉じる。  
冷却運転時は、既述したように、吸込口２３から吸い込まれた庫内空気が冷却器２２を通過することで生成された冷気が、冷蔵室１５の左側面の上部の吹出口２４と、さらに吹出ダクト２７の２箇所の吹出口２８や右端開口から吹き出されて、冷蔵室１５内すなわち全収納室１８に亘って循環流通され、これによりホテルパン１に収容された食材等の貯蔵物が冷却保存される。
【００３７】
ドロワ６０を引き出す場合は、図４の下段に示す状態から、扉６１の取手６２を持って手前に引くと、図５の上段に示すように、ガイドローラ７０と支持ローラ５９とが、それぞれ固定レール５０と可動レール７２に沿って上記とは逆回転で転動しつつドロワ６０が手前に引き出される。ドロワ６０の引き出し動作は、図５の下段に示すように、支持ローラ５９が固定レール５０の奥側に設けられたストッパ７５に当たることで停止され、ドロワ６０が最大に引き出された状態となる。
【００３８】
このようにドロワ６０が最大に引き出された状態で、図５の下段に示すように、ドロワ６０の引き出し端側に具材入りの調理鍋等の重量物が載せられる等によって下向きに荷重Ｘが加えられると、ドロワ６０は、支持ローラ５９とストッパ７５とが当たり合った位置を支点として、ドロワ６０の引き出し端側を下向きに揺動させる力が作用する。その結果、支点となるストッパ７５には上向きに荷重が作用するが、左右の各ストッパ７５に作用する荷重Ｙは、ドロワ６０の引き出し端に加えられた荷重の４．５倍程度の過大な荷重となる。
【００３９】
しかしながらこの実施形態では、ドロワ６０の左右の側枠６６の上縁に設けられた載置板８０の外側縁から垂下する形態で形成された垂下部８１Ａの垂下縁８２が、ストッパ７５の斜めの外側縁に沿って当てられて溶接で固定されることにより補強されているから、同ストッパ７５が捲れるように変形したり、折れてしまうことが防止される。  
なお、ドロワ６０の引き出し状態によっては、可動レール７２の奥端について支持ローラ５９から上向きの荷重を受ける可能性があるが、同可動レール７２の奥端の上面にも、載置板８０の外側縁に形成された垂下板８１の垂下縁が当てられて補強されているから、同じく可動レール７２が変形すること等が防がれる。
【００４０】
また、作用点側において、各固定レール５０の上面におけるガイドローラ７０が当たる奥端部に、ドロワ６０の引き出し端に加えられた荷重Ｘの４倍程度の過大な荷重Ｚが作用するが、固定レール５０の上面の同奥端部には補強部材８５が当てられて補強されているから、同部分が変形する等が防がれる。
【００４１】
以上説明したように本実施形態によれば、引き出されたドロワ６０に対して下向きに荷重Ｘが作用すると、支持ローラ５９からストッパ７５に対して上向きに過大な荷重が作用するおそれがあるが、ドロワ６０の左右の側枠６６の上縁に設けられた載置板８０の外側縁から垂下する形態で一体的に形成された垂下部８１Ａの垂下縁８２が、ストッパ７５の斜めの外側縁に沿って当てられて溶接で固定されることで補強されているから、同ストッパ７５が捲れるように変形したり、折れてしまうことが防止される。
【００４２】
上記のようなストッパ７５を補強するに当たっては、例えばストッパ７５の上面に別途備えた補強部材を当てて側枠６６に固定したり、ストッパ７５を板厚の大きい素材で形成したりすることが考えられるが、部品点数が増したり、材料費が嵩む等、製造コストが増加するおそれがある。  
それに対して本実施形態では、ストッパ７５を補強するについて、側枠６６に一体的に形成された垂下部８１Ａをストッパ７５の外側縁に当接するといった簡易な構造で実現しており、部品点数の増加もなく、また素材の材料費の増加も僅かに抑えられる等によって、安価に対応することができる。  
また、垂下部８１Ａの垂下縁８２をストッパ７５の外側縁に溶接で結合しているから、垂下部８１Ａの垂下縁８２がストッパ７５の外側縁から外れることが防止され、ストッパ７５をより確実に補強できる。
【００４３】
なお、引き出されたドロワ６０からホテルパン１を外す場合は、図８において、ドロワ６０の枠体６５を構成する側枠６６の上縁に張り出し形成された斜め姿勢の載置板８０と、ホテルパン１のフランジ３との間のスペースＳに手の指を入れて持ち上げるようになっている。ここで、ストッパ７５の補強構造を構築するために、上記のように、載置板８０の外側縁から垂下して形成した垂下板８１（垂下部８１Ａ）の垂下縁８２をストッパ７５の上面の外側縁に沿って当てて溶接して固定しているのであるが、係る補強構造を実現するために、載置板８０の外側への突出量が控えて形成されている。そのため、載置板８０の外側への突出量が大きい場合と比べると、同載置板８０と、ホテルパン１のフランジ３との間のスペースＳに手の指が入れやすくなり、ひいてはホテルパン１の取り外し作業が簡単に行える。
【００４４】
＜他の実施形態＞
本発明は上記記述及び図面によって説明した実施形態に限定されるものではなく、例えば次のような実施形態も本発明の技術的範囲に含まれる。  
（１）上記実施形態に例示したストッパの形状、すなわちストッパの傾斜角度や長さ等はあくまでも一例であって、同ストッパが突き当たる支持ローラの大きさ等の条件に応じて適宜に選定し得るものである。  
（２）上記実施形態では、ドロワの側枠に一体的に設けた垂下部の垂下縁を、ストッパの上面に溶接により固定した場合を例示したが、垂下部の垂下縁をストッパの上面の外側縁に沿って当接しただけの構造であってもよく、そのようなものも本発明の技術的範囲に含まれる。
【００４５】
（３）さらにストッパは、可動レールと一体的に設ける構成に代え、側枠の垂下部の垂下縁から内側に一体的に曲げて形成するようにしてもよい。係る構成においても、ストッパに対する上向きの荷重に抗した補強構造を実現することができる。  
（４）上記実施形態では６個のドロワを備えた横型冷蔵庫を例示したが、ドロワの数は任意であり、さらには縦型のドロワ式冷蔵庫や、横型または縦型のドロワ式冷凍庫、同ドロワ式冷凍冷蔵庫、さらには一部のみにドロワ形式を採用したもの等、引き出し可能なドロワを備えた冷却貯蔵庫全般に本発明は広く適用することができる。  
（５）本発明は、上記実施形態に例示したホテルパンに限らず、規格化されていない上面開口のフランジ付き容器をドロワに収容する形態のものにも同様に適用することができる。
【符号の説明】
【００４６】
１０…冷蔵庫本体（貯蔵庫本体）  １７…出入口  １８…収納室  ５０…固定レール  ５９…支持ローラ  ６０…ドロワ  ６１…扉  ６５…枠体  ６６…側枠  ７０…ガイドローラ  ７２…可動レール  ７５…ストッパ  ８０…載置板  ８１…垂下板  ８１Ａ…垂下部（補強部）  ８２…垂下縁
【図１】
0005875934.tif 000002
【図２】
0005875934.tif 000003
【図３】
0005875934.tif 000004
【図４】
0005875934.tif 000005
【図５】
0005875934.tif 000006
【図６】
0005875934.tif 000007
【図７】
0005875934.tif 000008
【図８】
0005875934.tif 000009
【図９】
0005875934.tif 000010
【図１０】
0005875934.tif 000011
【図１１】
0005875934.tif 000012
【図１２】
0005875934.tif 000013